(57)【特許請求の範囲】
【請求項１】
透明性を有する熱可塑性プラスチック材からなるものであって、その一方の面側には所定のシボパターンを有するとともに、当該シボパターンを有する面側とは反対の面側には所定の模様を有する模様層が上記シボパターンを有する面側を向くように設けられたシボ付きシートまたはシボ付きフィルムと、当該シボ付きシートまたはシボ付きフィルムのシボパターンを有する面（以下シボパターン面と言う）側に設けられるものであって当該シボパターン面を保護する役目を果たすとともに、当該シボパターン面との間において離型性に優れた性状を有する離型フィルムまたは離型シートとを、一体的に重ね合わせてラミネート材を形成させるとともに、このようなラミネート材を所定の温度にて予熱する予熱工程と、当該予熱工程にて所定の温度に予熱された上記ラミネート材を、所定のキャビティ形態を有するものであって真空引き手段を有する凹型のところに上記離型フィルムまたは離型シート側が凹型の真空引き手段を有する側に来るように設置するとともに、所定の密閉状態を保持するように設置するセッティング工程と、このように所定の密閉状態に保持された状態にて上記凹型側から真空引きを行ない、上記ラミネート材を一体的に上記凹型側のキャビティ形態に合せて成形加工する真空成形工程と、このように一体的に真空成形されたもののうちの上記シボ付きシートまたはシボ付きフィルム側へ所定の形態からなる凸型を設置して型締めを行なうとともに、上記シボ付きシートまたはシボ付きフィルム側に形成されるキャビティ空間内へ、上記シボ付きシートまたはシボ付きフィルムとの間において接着性に優れた性状を有する所定の熱可塑性プラスチック材を注入するインジェクション成形工程と、当該インジェクション成形工程が済んだ後に上記両型を開いて成形加工物を取出すとともに、当該取出された成形加工物の表面側に存在する離型フィルムまたは離型シートを引き剥がす離型フィルム・シート除去工程と、からなることを特徴とする表面にシボ模様を有するプラスチック成形体の製造方法。
【発明の詳細な説明】
【技術分野】
【０００１】
本発明は、表面にシボ模様を有するプラスチック成形体の製造方法に関するものであり、特に、上記シボ付きラミネート材を用いることによって、表面にシボ模様を有するプラスチック成形体を効率良く形成させるようにしたシボ模様付きプラスチック成形体の製造方法に関するものである。
【背景技術】
【０００２】
従来の、プラスチック成形体の表面にシボ模様を有するものの、その製造方法としては、表皮材の表面層に予めシボ模様の設けられたシート状部材を用意し、このような表皮材の裏面側に、例えばインジェクション成形手段等を初めとした所定の成形手段にて熱可塑性プラスチック材を設け、これによって所定の形態からなるプラスチック成形体の表面にシボ模様を有するものを形成させるようにしているものが挙げられる。ところで、この従来の方法においては、表面にシボ模様を有する表皮材を予め用意しておき、このような表皮材を金型内に設置するとともに、その裏面側に所定のプラスチック材を注入すること等によってシボ模様付きのプラスチック成形体を形成（製造）するようにしているものであり、製造工程が大きく２工程に分かれる等、その全体の効率（生産性）が良くないと言う問題点を有する。このような２工程に分割されるのを避けるために、一方の金型内に予めシボ模様パターンを形成させておき、このような金型内に上記表皮材を設置するとともに、真空引き手段にて上記表皮材を金型側へ吸引してシボ模様パターンを転写させ、その後、裏面側からプラスチック材を注入してシボ模様付きプラスチック成形体を製造するようにした方法が提案されている。
【特許文献１】特開２００３―１１７９９０号公報
【発明の開示】
【発明が解決しようとする課題】
【０００３】
ところで、上記のような従来の方法においては、一方の金型である凹型のキャビティ面側に所定のシボパターンを予め設けておく必要がある。従って、シボ柄に変更等が生じた場合には、それに応じて、その都度上記シボパターンを変更しなければならず、シボパターンの異なる複数種類の凹型を予め用意しておく必要がある。このことは、シボ柄の変更に伴う型費の増大化をまねき、製造コストの上昇をまねくと言う問題点がある。このような問題点を解決するために、金型、特に、凹型のキャビティ面側にはシボパターンを形成させないようにした共通の凹型を用意しておくとともに、このような凹型のキャビティ面のところに、所定のプラスチック素材からなるものであって所定のシボ模様の形成されたシボ付きシートまたはシボ付きフィルムと、これらのシボ模様面を保護するために設けられる離型フィルムとの重ね合わされたラミネート材を凹型内に設置することによって、シボ模様を有するプラスチック成形体を形成させるようにした表面にシボ模様を有するプラスチック成形体の製造方法を提供しようとするのが、本発明の目的（課題）である。
【課題を解決するための手段】
【０００４】
上記課題を解決するために、本発明においては次のような手段を講ずることとした。すなわち、請求項１記載の発明である第一の発明においては、シボ模様付きラミネート材を用いることによって行なわれる表面にシボ模様を有するプラスチック成形体の製造方法に関して、透明性を有する熱可塑性プラスチック材からなるものであって、その一方の面側には所定のシボパターンを有するとともに、当該シボパターンを有する面側とは反対の面側には所定の模様を有する模様層が上記シボパターンを有する面側を向くように設けられたシボ付きシートまたはシボ付きフィルムと、当該シボ付きシートまたはシボ付きフィルムのシボパターンを有する面（以下シボパターン面と言う）側に設けられるものであって当該シボパターン面を保護する役目を果たすとともに、当該シボパターン面との間において離型性に優れた性状を有する離型フィルムまたは離型シートとを、一体的に重ね合わせてラミネート材を形成させるとともに、このようなラミネート材を所定の温度にて予熱する予熱工程と、当該予熱工程にて所定の温度に予熱された上記ラミネート材を、所定のキャビティ形態を有するものであって真空引き手段を有する凹型のところに上記離型フィルムまたは離型シート側が凹型の真空引き手段を有する側に来るように設置するとともに、所定の密閉状態を保持するように設置するセッティング工程と、このように所定の密閉状態に保持された状態にて上記凹型側から真空引きを行ない、上記ラミネート材を一体的に上記凹型側のキャビティ形態に合せて成形加工する真空成形工程と、このように一体的に真空成形されたもののうちの上記シボ付きシートまたはシボ付きフィルム側へ所定の形態からなる凸型を設置して型締めを行なうとともに、上記シボ付きシートまたはシボ付きフィルム側に形成されるキャビティ空間内へ、上記シボ付きシートまたはシボ付きフィルムとの間において接着性に優れた性状を有する所定の熱可塑性プラスチック材を注入するインジェクション成形工程と、当該インジェクション成形工程が済んだ後に上記両型を開いて成形加工物を取出すとともに、当該取出された成形加工物の表面側に存在する離型フィルムまたは離型シートを引き剥がす離型フィルム・シート除去工程と、からなるようにした。
【発明の効果】
【０００６】
本発明によれば、上記工程を採ることによって、表面にシボ模様を有するプラスチック成形体を効率良く生産（製造）することができるようになる。特に、本発明のものにおいては、シボ模様は、基礎となるプラスチック成形体の最表面部に形成されるとともに、その裏面側には透明体からなる中間層を介してプラスチック成形体の基板が存するようになり、シボ模様（シボ柄）に奥行き感が形成されることとなる。その結果、奥行き感のある見栄えに優れたシボ模様を形成させることができるようになり、延いては優れた見栄えを有するプラスチック成形体を効率良く形成する（製造する）ことができるようになる。
【０００７】
また、本発明のものにおいては、シボ柄を透明体からなる表面層に形成させるとともに、その下側（裏面側）に所定の模様柄層を形成させるようにしたので、シボ柄模様に立体感をもたせるようにすることができるとともに、シボ模様と模様柄との組合わせ如何によってシボ柄模様の種類を簡単に増やすことができるようになり、見栄えに優れたシボ柄模様を有するプラスチック成形体を顧客の要望に応じて簡単に形成する（製造する）ことができるようになる。また、このようなシボ柄模様の形成されたものを、初めからラミネート材として予め用意しておくとともに、このようなラミネート材を凹型内に設置することによって、表面にシボ柄模様を有するプラスチック成形体を効率良く形成させる（製造する）ことができるようになる。
【発明を実施するための最良の形態】
【０００８】
本発明を実施するための最良の形態について、図１ないし図５を基に説明する。本実施の形態に関するものは、図１に示す如く、表面にシボ模様を有するシボ付きシート１またはシボ付きフィルム１’と、その表面側に保護膜として設けられる離型フィルム３と、からなるラミネート材３０を基礎に、表面にシボ模様を有するプラスチック成形体を効率良く形成させるようにした、シボ模様付きプラスチック成形体の製造方法に関するものである。その具体的例について説明する。まず、図４の（Ｘ）に示す如く、透明性を有する熱可塑性プラスチック材からなるものであって、その一方の面側には所定のシボパターンを有するシボ付きシート１またはシボ付きフィルム１’と、当該シボ付きシート１またはシボ付きフィルム１’のシボパターンを有する面（シボパターン面）１１側に設けられるものであって当該シボパターン面１１を保護する役目を果たすとともに、当該シボパターン面１１との間において離型性に優れた、かつ、上記シボパターン面１１よりも柔らかな性状を有するフィルム状またはシート状部材からなる部材（以下これらを離型フィルム３と呼ぶ）とを用意し、これらを図４の（Ｙ）に示す如く、一体的に重ね合わせてラミネート材３０を形成させる。
【０００９】
次に、このようなラミネート材３０を、図１の（Ａ）に示す予熱工程において、所定の温度に加熱（予熱）する。次に、このように所定の温度に予熱された上記ラミネート材３０を、所定のキャビティ形態を有するものであって真空引き手段を有する凹型９１のところに、上記離型フィルム３側が凹型９１の真空引き手段９９を有する側に来るように設置するとともに、所定のクランプ手段９８を用いて密閉状態を保持するように設置する（セッティング工程（Ｂ））。次に、このように密閉状態に保持された状態にて、上記凹型９１側から真空引きを行ない、上記ラミネート材３０を一体的に上記凹型９１側のキャビティ形態に合せて成形加工する（真空成形工程（Ｃ））。そして、このように一体的に真空成形されたもののうちの上記シボ付きシート１またはシボ付きフィルム１’側へ所定の形態からなる凸型９２を設置して型締めを行なうとともに、上記シボ付きシート１またはシボ付きフィルム１’側に形成されるキャビティ空間９５内へ、上記シボ付きシート１またはシボ付きフィルム１’との間において接着性に優れた性状を有する所定の熱可塑性プラスチック材を注入する（インジェクション成形工程（Ｄ））。そして更に、このようなインジェクション成形工程（Ｄ）が済んだ後に、上記両型９１、９２を開いて成形加工物を取出すとともに、当該取出された成形加工物５の表面側に存在する離型フィルム３を引き剥がす（離型フィルム・シート除去工程（Ｅ））。
【００１０】
このような工程からなるものにおいて、離型フィルム３としては、予め所定のシボパターンの形成されたシボ付きシート１またはシボ付きフィルム１’の上記シボパターン面１１を保護するとともに、当該シボパターン面１１との間において離型性に優れた、かつ、上記シボパターン面１１を形成する上記シボ付きシート１またはシボ付きフィルム１’よりも柔らか性状を有するもの（素材）が採用されることとなる。具体的には、上記性状を有する離型フィルムまたは離型シート等が採用されることとなる。
【００１１】
次に、例えば図４に示す如く、上記離型フィルム（離型シートを含む）３と共にラミネート材３０を形成する上記シボ付きシート１またはシボ付きフィルム１’の素材としては、成形性に優れているとともに、成形加工時におけるシボパターン面１１の保持性に優れたＰＭＭＡ、ＰＣ（ポリカーボネート樹脂）、ＰＰ（ポリプロピレン樹脂）等が採用されることとなる。このようなシボ付きシート１またはシボ付きフィルム１’と上記離型フィルム３とが、図４の（Ｘ）に示すように用意され、更には、これらが図４の（Ｙ）に示す如く、一体的に重ね合わされてラミネート材３０が形成されることとなる。このようなラミネート材３０が、図１の（Ａ）に示す予熱工程（Ａ）において、所定のヒータ８にて所定の温度に加熱（予熱）されることとなる。なお、この予熱工程においては、約１００℃〜１６０℃の温度にて、特に好ましくは１２０℃〜１４０℃の温度にて予熱される（加熱される）こととなる。
【００１２】
次に、このようにして所定の温度に予熱されたシボ付きシート１またはシボ付きフィルム１’と離型フィルム３との一体化されたラミネート材３０を、次のセッティング工程（Ｂ）において、真空引き手段９９につながる凹型９１のところに上記離型フィルム３側が凹型９１の真空引き手段９９につながる側に来るように設置する。そして、このような状態において、所定のクランプ手段９８にて密閉を保った状態で保持する。このような状態において、次の真空成形工程（Ｃ）において、凹型９１側から真空引き手段９９を介して真空引きを行なう。その結果、上記シボ付きシート１またはシボ付きフィルム１’と離型フィルム３とが重ね合わされた状態で形成されるラミネート材３０は、一体的に上記凹型９１のキャビティ面に沿って所定の形態に真空成形加工されることとなる。なお、この真空引き工程（真空成形工程）は、既存の一般的な真空引き手段（真空成形手段）を用いて行なわれる。
【００１３】
次に、このようにして所定の形態に成形加工されたラミネート材３０の、そのシボ付きシート１またはシボ付きフィルム１’側へ、所定の形態からなる凸型９２を設置するとともに両型９１、９２の型締めを行なう（型締め工程）。そして、このような状態において、上記シボ付きシート１またはシボ付きフィルム１’側に形成されるキャビティ空間９５内へ、所定のプラスチック素材を注入する（インジェクション工程）。このようにして、図１の（Ｄ）に示すインジェクション成形工程が行なわれることとなる。なお、このインジェクション成形工程（Ｄ）において注入される素材としては、上記シボ付きシート１またはシボ付きフィルム１’との間において接着性に優れたプラスチック材が選択される。例えば、本実施の形態においては、ポリプロピレン樹脂（ＰＥ）、ポリカーボネート樹脂（ＰＣ）、あるいはＡＢＳ樹脂等が採用されることとなる。
【００１４】
次に、このようにして、上記キャビティ空間９５内へ所定のプラスチック材が注入されて、所定の形態からなるプラスチック成形体が形成された状態において、図１の（Ｄ）に示す工程にて、両型９１、９２を型開きして、上記プラスチック成形体（成形加工物）を取出す。このように取出されたプラスチック成形体（成形加工物）５の表面側には、上記ラミネート材３０を形成する離型フィルム３が張付いた状態となっている。従って、このような状態のものを、次の図１に示す（Ｅ）工程において、上記表面に張り付いた状態の離型フィルム３を引き剥がす。
【００１５】
この離型フィルム・シート除去工程（Ｅ）にて離型フィルム３の引き剥がされたプラスチック成形体５の表面側のところには、例えば図２に示す如く、上記シボ付きシート１またはシボ付きフィルム１’の表面に形成されていたシボパターン面１１が存在することとなる。具体的にはプラスチック成形体からなる成形基板５の表面側には透明体からなるシボ付きシート１またはシボ付きフィルム１’が一体化された状態で存在することとなる。そして、このようなシボ付きシート１またはシボ付きフィルム１’の表面側にはシボパターン面１１が存在することとなる。このようにして表面に所定のシボパターを有するプラスチック成形体がインジェクション成形手段によって効率良く生成されることとなる。
【００１６】
なお、このようなシボパターン面１１の生成において、上記シボ付きシート１またはシボ付きフィルム１’を、例えば図５に示すような構成にて形成させることも考えられる。具体的には、図５の（Ｘ）に示す如く、透明体からなるものであって所定の厚さを有するとともに、表面側には所定の形態からなるシボパターン面１１を有し、更に、その裏面側には、印刷手段またはスパッタリング等の蒸着手段にて設けられるものであって所定の模様柄を有する模様層１２を有するシボ付きシート１またはシボ付きフィルム１’を用意する。そして、次に、このようなシボ付きシート１またはシボ付きフィルム１’と離型フィルム３とを、図５の（Ｙ）に示す如く、重合わせ状に一体化させてラミネート材３０を形成させる。このようにして形成されたラミネート材３０を、図１に示す各工程を経させるようにする。このような各工程を経させることによって、最終的にプラスチック成形体（成形基板）５の表面側には、例えば図３に示すような、最表面部に透明体からなるシボパターン面１１を有するとともに、その裏面側には所定の模様柄の形成された模様層１２を有する被膜が形成されることとなる。その結果、奥行き感のあるシボ模様をプラスチック成形体の表面側に効率良く形成させることができるようになる。特に、本実施の形態のものにおいては、シボ柄を透明体からなる表面側（シボパターン面１１側）に形成させるとともに、その下側（裏面側）に所定の模様層１２を形成させるようにしたので、シボ柄模様に立体感をもたせることができるようになるとともに、シボ柄と模様柄との組合わせ如何によって、シボ柄模様の種類を簡単に増やすことができるようになる。その結果、見栄えに優れたシボ柄模様を有するプラスチック成形体を顧客の要望に応じて簡単に形成する（製造する）ことができるようになる。
【００１７】
このような工程を採ることによって、本実施の形態のものにおいては、所定の形態を有するように成形加工された成形加工物を金型から取出すとともに、このようにして取出された成形加工物の表面側に付着している離型フィルム３を引き剥がすことによって、表面にシボ柄模様を有するプラスチック成形体が効率良く生成されることとなる。また、シボパターン等に変更等があった場合においては、金型９１、９２には変更を加えず、上記シボ付きシート１またはシボ付きフィルム１’のみを変えることによって、プラスチック成形体の製造をすることができるようになり、設計変更、仕様変更等に、迅速に、かつ、効率良く対応することができるようになる。その結果、多品種生産に効率良く対応することができるようになる。
【図面の簡単な説明】
【００１８】
【図１】本発明の全体構成を示す工程説明図である。
【図２】本発明の工程にて製造されたプラスチック成形体の全体構成を示す断面図である。
【図３】本発明の工程において製造されたプラスチック成形体のうちの別の形態のもの（変形例）についての、その全体構成を示す断面図である。
【図４】本発明において用いられるシボ付きシートまたはシボ付きフィルムと離型フィルムとが重ね合わされて形成されるラミネート材の態様を示す展開斜視図である。
【図５】本発明において用いられるラミネート材についての別の形態のもの（変形例）を示す展開斜視図である。
【符号の説明】
【００１９】
１  シボ付きシート
１’  シボ付きフィルム
１１  シボパターン面
１２  模様層
３  離型フィルム
３０  ラミネート材
５  プラスチック成形体（成形基板）
８  ヒータ
９１  凹型（金型）
９２  凸型（金型）
９５  キャビティ空間
９８  クランプ手段
９９  真空引き手段
【図１】
0004657909.tif 000002
【図２】
0004657909.tif 000003
【図３】
0004657909.tif 000004
【図４】
0004657909.tif 000005
【図５】
0004657909.tif 000006